(57)【要約】【課題】柄を伸長状態および収納状態に確実に保持できる使い勝手の良い玉網を提供することを目的とする。【解決手段】本発明に係る玉網１は柄４と網部２とを有する。柄４は元杆２０と先杆１０とを有する。先杆２０は、その前端と後端とにそれぞれ網部装着部２１，２２を有するとともに、元杆１０の中空の収納空間Ｓ内に差し込まれて前端の網部装着部２１に網部２が装着される収納状態と、元杆１０の先端に取り付けられて後端の網部装着部２２に網部２が装着される伸長状態とに変更可能である。先杆２０および元杆１０にはそれぞれ、収納状態および伸長状態の両方で互いに係合する係合部１５，２３ａ，２５ａが設けられている。【選択図】図１
2012044938.tif 000002
【特許請求の範囲】
【請求項１】
柄と網部とを有する玉網において、
前記柄が元杆と先杆とを有し、
前記先杆は、その前端と後端とにそれぞれ網部装着部を有するとともに、前記元杆の中空の収納空間内に差し込まれて前端の網部装着部に網部が装着される収納状態と、前記元杆の先端に取り付けられて後端の網部装着部に網部が装着される伸長状態とに変更可能であり、
前記先杆および前記元杆にはそれぞれ、前記収納状態および前記伸長状態の両方で互いに係合する係合部が設けられていることを特徴とする玉網。
【請求項２】
前記先杆は、前記収納状態および前記伸長状態のそれぞれにおいて前記元杆の共通の係合部に個別に係合する２つの係合部を有することを特徴とする請求項１に記載の玉網。
【請求項３】
前記先杆および前記元杆の前記係合部は、着脱可能に螺合する螺子部から成ることを特徴とする請求項１または請求項２に記載の玉網。
【請求項４】
前記先杆は、前記収納状態および前記伸長状態で前記元杆の前記収納空間の開口部内に嵌合する嵌合部を有することを特徴とする請求項１ないし請求項３のいずれか１項に記載の玉網。
【発明の詳細な説明】
【技術分野】
【０００１】
本発明は、魚を取り込む際に用いられる玉網に関し、詳細には、柄の長さを切り替え可能にした玉網に関する。
【背景技術】
【０００２】
一般に、魚釣りで用いられる玉網は、様々な距離を隔てて魚を取り込む場合が多いため、持ち運び性を考慮して柄の部分が振出し式に構成されている。例えば特許文献１では、先側管と元側管とによって玉網の柄が構成されており、先側管を元側管内に差し入れて、各管の端部に設けられる螺子部同士を螺合させることにより、柄の長さが短くなる収納状態にすることができる。一方、先側管を元側管から振り出し式に引き出することにより、柄の長さを長くして使用することもできる。
【先行技術文献】
【特許文献】
【０００３】
【特許文献１】実公昭４３−１５５０３号
【発明の概要】
【発明が解決しようとする課題】
【０００４】
ところで、特許文献１に開示される玉網は、柄の長さを短くした収納状態では、螺子部同士の螺合によって先側管の抜けや管同士の相対的な回動を防止できるが、柄を長く伸ばした伸長状態では、元側管および先側管が互いの継ぎ目でそれぞれの管径の大小により同心的に重合嵌合して、元側管の内周面と先側管の外周面との間の摩擦接触のみにより係合しているだけであるため、係合力が十分ではなく、そのため、玉網の使用中に、先側管が意図せずに元側管内へ引っ込んで柄が急に短くなったり或いは管同士が相対的に回動して玉網の位置が意図しない方向を向いてしまうといった事態が生じ得る。
【０００５】
本発明は、前記事情に着目してなされたものであり、その目的とするところは、柄を伸長状態および収納状態に確実に保持できる使い勝手の良い玉網を提供することにある。
【課題を解決するための手段】
【０００６】
前記課題を解決するために、本発明は、柄と網部とを有する玉網において、前記柄が元杆と先杆とを有し、前記先杆は、その前端と後端とにそれぞれ網部装着部を有するとともに、前記元杆の中空の収納空間内に差し込まれて前端の網部装着部に網部が装着される収納状態と、前記元杆の先端に取り付けられて後端の網部装着部に網部が装着される伸長状態とに変更可能であり、前記先杆および前記元杆にはそれぞれ、前記収納状態および前記伸長状態の両方で互いに係合する係合部が設けられていることを特徴。
【０００７】
上記構成によれば、先杆および元杆にそれぞれ、収納状態および伸長状態の両方で互いに係合する係合部が設けられているため、柄を伸長状態および収納状態に確実に保持でき、使い勝手の良い玉網を提供できる。また、このような利点は、先杆の前端および後端にそれぞれ網部装着部を設けるとともに、元杆の中空の収納空間内に差し込まれて前端の網部装着部に網部が装着される収納状態と元杆の先端に取り付けられて後端の網部装着部に網部が装着される伸長状態とにそれぞれ先杆を変更可能とすることにより、柄に対する網部の装着に支障を来たすことなく且つ玉網の持ち運び性に影響を与えることなく（柄の収納状態および伸長状態を可能にしつつ）効果的に実現できる。
【発明の効果】
【０００８】
本発明によれば、柄を伸長状態および収納状態に確実に保持できる使い勝手の良い玉網を提供できる。
【図面の簡単な説明】
【０００９】
【図１】本発明の第１の実施形態に係る玉網の収納状態の断面図である。
【図２】図１の玉網の分解状態の断面図である。
【図３】図１の玉網の伸長状態の断面図である。
【図４】（ａ）は本発明の第１の実施形態に係る玉網の収納状態の断面図、（ｂ）は（ａ）の玉網の先杆および網部を仮想線で示す分解図である。
【発明を実施するための形態】
【００１０】
以下、図面を参照しながら、本発明の一実施形態について説明する。
図１〜図３は本発明の第１の実施形態を示している。図示のように、本実施形態の玉網１は柄４と網部２とを有する。網部２は、環状の枠部３の周縁に網体５が袋状に取着されて成る。また、枠部３からは、その径方向に沿って取付部６が突設されており、この取付部６は、柄４（具体的には、後述する先杆２０の網部取り付け受部２１，２２）に対して着脱自在に取り付けられるようになっている。そのため、取付部６の外周面には、螺合形態で取り付くための雄ねじ６ａが形成されている。
【００１１】
また、柄４は、中空管状の元杆１０と、元杆１０の内径よりも小さい外径を有する中空管状の先杆２０とから成る。元杆１０の後端側（手元端側）には、その後端開口を塞ぐように有底円筒状の握持部１２が被着されており、それにより、元杆１０内には、その前端の開口部１３を導入口とする先杆２０のための中空の収納空間Ｓが形成される。また、開口部１３を有する元杆１０の前端部の外周面には、後述する先杆２０側の２つの係合部２３ａ，２５ａに共通の元杆側係合部１５が雄螺子部として形成されている。
【００１２】
また、先杆２０は、網部２の取付部６が着脱自在に取り付けられる第１の網部取り付け受部（網部装着部）２１を前端に有するとともに、網部２の取付部６が着脱自在に取り付けられる第２の網部取り付け受部（網部装着部）２２を後端に有する。この場合、２つの網部取り付け受部２１，２２はいずれも、先杆２０の前端部の内周面および後端部の内周面に雌ねじとして形成され、網部２の取付部６の雄ねじ６ａと着脱自在に螺合できるようになっている。
【００１３】
また、先杆２０の前端部の外周面には、元杆１０の開口部１３内に着脱自在に嵌合できる嵌合部としての支持管２９が被嵌して固着されている。この支持管２９は、先杆２０の後述する収納状態および伸長状態で元杆１０の収納空間Ｓの開口部１３内に嵌合することにより、先杆２０の外周面と元杆１０の内周面との間の隙間を埋めて元杆１０に対する先杆２０のガタ付きを防止する役目を果たす。
【００１４】
また、支持管２９の外周面には、元杆１０の元杆側係合部１５に係脱可能に係合する一対のナット（係合部材）２５，２３が抜け止め２７を介して所定位置に周方向に回動可能に抜け止め（移動が規制されて）支持されている。これらのナット２５，２３は、抜け止め２７に支持固定される係止端部２４と筒状の螺合部２８とから成っており（図２参照）、螺合部２８の内周面には、元杆側係合部１５の雄螺子部に螺合可能な雌螺子部２５ａ，２３ａが形成されている。そして、これらのナット２５，２３は、その筒状の螺合部２８の開口を先杆２０の軸方向で互いに反対方向に向けて支持されており、それにより、先杆２０の後述する収納状態および伸長状態のそれぞれにおいて元杆１０の共通の元杆側係合部１５に個別に係合し得る第１の先杆側係合部および第２の先杆側係合部をその雌螺子部２５ａ，２３ａによって形成している。
【００１５】
このような構成の玉網１は、以下のように、その柄４の長さを２段階で切り替えること、すなわち、柄４を構成する先杆２０を図１に示される収納状態（柄４の長さが短い状態）と図３に示される伸長状態（柄４の長さが長い状態）とに切り替えることができるようになっている。
【００１６】
具体的には、図１に示される収納状態を実現するためには、先杆２０をその後端側から元杆１０の収納空間Ｓ内に差し込んで、先杆２０のナット２５を元杆１０の元杆側係合部１５に螺着する。すなわち、先杆２０の雌螺子部である第１の先杆側係合部２５ａを元杆側係合部１５の雄螺子部に螺合させる。また、このとき、支持管２９が元杆１０の開口部１３内に嵌合して、元杆１０に対する先杆２０のガタ付きが防止される。そして、この状態で、網部２の取付部６の雄ねじ６ａを先杆２０の第１の網部取り付け受部２１の雌ねじに螺合させて、網部２を柄４に装着する。これにより、玉網４は、先杆１０が収納状態となる柄４の短い形態を成す。
【００１７】
一方、図３に示される伸長状態を実現するためには、図１の状態から先杆２０を元杆１０内から引き出し、先杆２０の前後をひっくり返して元杆１０の先端に先杆２０を取り付ける。すなわち、先杆２０のナット２３を元杆１０の元杆側係合部１５に螺着する。つまり、先杆２０の雌螺子部である第２の先杆側係合部２３ａを元杆側係合部１５の雄螺子部に螺合させる。また、このとき、支持管２９が元杆１０の開口部１３内に嵌合して、元杆１０に対する先杆２０のガタ付きが防止される。そして、この状態で、網部２の取付部６の雄ねじ６ａを先杆２０の第２の網部取り付け受部２２の雌ねじに螺合させて、網部２を柄４に装着する。これにより、玉網４は、先杆１０が伸長状態となる柄４の長い形態を成す。
【００１８】
以上説明したように、本実施形態の玉網１は、先杆２０および元杆１０にそれぞれ、収納状態および伸長状態の両方で互いに係合する係合部２３ａ，２５ａ，１５が設けられているため、柄４（先杆２０）を伸長状態および収納状態に確実に保持でき、使い勝手が良い。このような利点は、先杆２０の前端および後端にそれぞれ網部装着部２１，２２を設けるとともに、元杆１０の中空の収納空間Ｓ内に差し込まれて前端の網部装着部２１に網部２が装着される収納状態と元杆１０の先端に取り付けられて後端の網部装着部２２に網部２が装着される伸長状態とにそれぞれ先杆２０を変更可能とすることにより、柄４に対する網部２の装着に支障を来たすことなく且つ玉網１の持ち運び性に影響を与えることなく（柄４の収納状態および伸長状態を可能にしつつ）効果的に実現できるものである。
【００１９】
図４は本発明の第２の実施形態を示している。図示のように、本実施形態では、第１の実施形態の２つのナット２３，２５が一体となった両面螺合ナット５０を支持管２９に抜け止め支持した構成となっており、両面螺合ナット５０はその両側に第１の先杆側係合部２５ａおよび第２の先杆側係合部２３ａを有する。なお、それ以外の構成は第１の実施形態と同一であり、このような構成でも第１の実施形態と同様の作用効果を有することができる。
【００２０】
なお、本発明は、前述した実施形態に限定されず、その要旨を逸脱しない範囲で種々変形して実施できることは言うまでもない。例えば、前述した実施形態では、先杆２０に雌ねじのナットを設けるとともに、元杆１０に雄ねじの螺子部を設けることにより係合部を形成しているが、これとは逆に、元杆１０に雄ねじのナットを設け、先杆２０に雄ねじの螺子部を設けてもよい（元杆側係合部の構成と先杆側係合部の構成とを逆にしてもよい）。
【符号の説明】
【００２１】
１    玉網
２    網部
４    柄
１０  元杆
１５  元杆側係合部（螺子部）
２０  先杆
２１  第１の網部取り付け受部（網部装着部）
２２  第２の網部取り付け受部（網部装着部）
２３ａ  第２の先杆側係合部（螺子部）
２５ａ  第１の先杆側係合部（螺子部）
２９  支持管（嵌合部）
Ｓ    収納空間
【図１】
2012044938.tif 000003
【図２】
2012044938.tif 000004
【図３】
2012044938.tif 000005
【図４】
2012044938.tif 000006